(57)【特許請求の範囲】
【請求項１】
表示部と、
前記表示部における画像の表示領域に対する、指示体による接触及び近接の少なくとも一方である第１の操作、及び指示体が所定の強度以上の強度で押圧される操作である第２の操作を区別して検出可能に構成されたタッチパネルと、
画像処理装置と無線通信可能な通信部と、
を備えた情報処理装置が有するコンピュータが読み取り可能な機能実行プログラムであって、
前記情報処理装置は、当該機能実行プログラムを起動させるための起動用のアイコンが前記表示部に表示され、前記起動用のアイコンに対して前記第１の操作が行われた場合は当該機能実行プログラムが起動されるように構成され、前記起動用のアイコンとして既定アイコンが設定されており、
当該機能実行プログラムは、
前記コンピュータに、
前記通信部を介して前記画像処理装置と無線通信を行うことにより、前記画像処理装置が備える複数の機能を示す機能情報を取得する機能情報取得処理と、
前記機能情報取得処理により取得された前記機能情報が示す前記複数の機能の少なくとも１つについて、前記画像処理装置において予め決められた特定状態が発生している場合に、その特定状態を示す特定状態情報を取得する特定状態取得処理と、
前記特定状態取得処理により前記特定状態情報が取得された場合に、前記表示部に表示されている前記起動用のアイコンを、前記特定状態取得処理により取得された前記特定状態情報に対応した前記機能を示す機能アイコンに変更させ、さらに、前記特定状態取得処理により取得された前記特定状態情報が示す前記特定状態を示す状態アイコンを前記表示部に表示させる、アイコン変更処理と、
前記アイコン変更処理によって表示されている前記機能アイコンに対して前記第１の操作がなされた場合、前記複数の機能の中から実行対象の機能を選択させるための機能選択画面を前記表示部に表示させ、前記アイコン変更処理によって表示されている前記機能アイコンに対して前記第２の操作がなされた場合、前記特定状態の内容を示す特定状態画像を前記表示部に表示させる特定表示処理と、
を実行させるための機能実行プログラム。
【請求項２】
請求項１に記載の機能実行プログラムであって、
前記特定表示処理は、前記アイコン変更処理によって表示されている前記状態アイコンに対して前記第１の操作または前記第２の操作がなされた場合に前記特定状態画像を前記表示部に表示させる処理を含む、
機能実行プログラム。
【請求項３】
請求項１または請求項２に記載の機能実行プログラムであって、
前記複数の機能に対して優先順位が設定されており、
前記特定状態取得処理によって前記複数の機能のうち２つ以上についてそれぞれ対応する前記特定状態情報が取得された場合、前記アイコン変更処理では、前記２つ以上の機能のうち前記優先順位が最も高い１つの機能を表示対象機能として、前記起動用のアイコンをその表示対象機能を示す前記機能アイコンに変更させ、さらにその表示対象機能に対応した前記状態アイコンを前記機能アイコンと共に前記表示部に表示させる、
機能実行プログラム。
【請求項４】
請求項１〜請求項３の何れか１項に記載の機能実行プログラムであって、
前記画像処理装置は、前記複数の機能の１つとして、ファクシミリデータを受信して保存するファクシミリ受信機能を備えており、
前記ファクシミリ受信機能に対応した前記特定状態は、前記画像処理装置において前記ファクシミリデータが新規に受信されて保存されていることであり、
前記ファクシミリ受信機能に対応した前記状態アイコンは、前記新規に受信されて保存されている前記ファクシミリデータの件数を示す受信件数画像を含む、
機能実行プログラム。
【請求項５】
請求項１〜請求項４の何れか１項に記載の機能実行プログラムであって、
前記画像処理装置は、前記複数の機能の１つとして、原稿の画像を読み取ってその読み取った画像を示す画像データを保存する画像読取機能を備えており、
前記画像読取機能に対応した前記特定状態は、前記画像処理装置において前記画像データが新規に読み取られて保存されていることであり、
前記画像読取機能に対応した前記状態アイコンは、前記新規に読み取られて保存されている前記画像データの件数を示す読取件数画像を含む、
機能実行プログラム。
【請求項６】
請求項１〜請求項５の何れか１項に記載の機能実行プログラムであって、
前記画像処理装置は、前記複数の機能の１つとして、前記画像処理装置が備える機能の実行用のファームウェアを更新するファーム更新機能を備えており、
前記ファーム更新機能に対応した前記特定状態は、前記画像処理装置が備える前記ファームウェアについてより新しいバージョンのファームウェアが存在し、且つそのファームウェアに更新可能であることであり、
前記ファーム更新機能に対応した前記状態アイコンは、前記ファームウェアを更新可能であることを示す更新通知画像を含む、
機能実行プログラム。
【請求項７】
請求項１〜請求項６の何れか１項に記載の機能実行プログラムであって、
前記画像処理装置は、前記複数の機能の１つとして、前記画像処理装置において特定の異常状態が発生していることを検出する異常検出機能を備えており、
前記異常検出機能に対応した前記特定状態は、前記画像処理装置において前記異常状態が発生していることであり、
前記異常検出機能に対応した前記状態アイコンは、前記異常状態が発生していることを示す異常通知画像を含む、
機能実行プログラム。
【請求項８】
請求項１〜請求項７の何れか１項に記載の機能実行プログラムであって、
前記コンピュータに実行させる処理として、さらに、
前記特定表示処理によって前記特定状態画像を表示させた後、前記特定状態画像又は前記状態アイコンに対して前記タッチパネルを介して特定の操作がなされた場合に、前記状態アイコンが示す前記特定状態に対して予め決められた処理を実行する状態対応処理を有する、
機能実行プログラム。
【請求項９】
表示部と、
前記表示部における画像の表示領域に対する、指示体による接触及び近接の少なくとも一方である第１の操作、及び指示体が所定の強度以上の強度で押圧される操作である第２の操作を区別して検出可能に構成されたタッチパネルと、
画像処理装置と無線通信可能な通信部と、
機能実行プログラムが記憶された記憶部と、
制御部と、
を備え、
前記制御部は、
前記機能実行プログラムを起動させるための起動用のアイコンとして既定アイコンを前記表示部に表示させる既定表示処理、
を実行し、
前記制御部は、さらに、前記機能実行プログラムに従って、
前記通信部を介して前記画像処理装置と無線通信を行うことにより、前記画像処理装置が備える複数の機能を示す機能情報を取得する機能情報取得処理と、
前記機能情報取得処理により取得された前記機能情報が示す前記複数の機能の少なくとも１つについて、前記画像処理装置において予め決められた特定状態が発生している場合に、その特定状態を示す特定状態情報を取得する特定状態取得処理と、
前記特定状態取得処理により前記特定状態情報が取得された場合に、前記表示部に表示されている前記起動用のアイコンを、前記特定状態取得処理により取得された前記特定状態情報に対応した前記機能を示す機能アイコンに変更させ、さらに、前記特定状態取得処理により取得された前記特定状態情報が示す前記特定状態を示す状態アイコンを前記表示部に表示させる、アイコン変更処理と、
前記アイコン変更処理によって表示されている前記機能アイコンに対して前記第１の操作がなされた場合、前記複数の機能の中から実行対象の機能を選択させるための機能選択画面を前記表示部に表示させ、前記アイコン変更処理によって表示されている前記機能アイコンに対して前記第２の操作がなされた場合、前記特定状態の内容を示す特定状態画像を前記表示部に表示させる特定表示処理と、
を実行する、情報処理装置。
【発明の詳細な説明】
【技術分野】
【０００１】
本発明は、情報処理装置から無線通信によって画像処理装置を利用するための技術に関する。
【背景技術】
【０００２】
タッチパネルを備えた携帯通信端末が普及している。特許文献１には、複数種類のアプリケーション毎にアイテムが表示され、任意のアイテムが選択されるとそのアイテムに対応したアプリケーションが実行されるように構成された携帯端末機が開示されている。なお、特許文献１に記載のアイテムは、一般に、アイコンと呼ばれることも多い。
【０００３】
また、アプリケーションにより実行される機能に関する特定の状態が発生した場合にそれを検知して、その特定の状態が発生したことを示すアイコンを、そのアプリケーションの起動用のアイコンと共に表示させる技術も知られている。
【０００４】
例えば、電子メールの送受信を行う機能を備えたアプリケーションとして、電子メールが受信された場合に、受信された件数を示すアイコンを、当該アプリケーション起動用のアイコンと共に表示させるように構成されたものが公知である。なお、このように起動用のアイコンと共に表示されるアイコンは、一般に「バッジ」とも呼ばれる。
【先行技術文献】
【特許文献】
【０００５】
【特許文献１】特表２０１４−５１９１０６号公報
【発明の概要】
【発明が解決しようとする課題】
【０００６】
起動用のアイコンと共に、特定の状態が発生したことを示すバッジが表示されると、ユーザはそのアイコンに対応したアプリケーションに関して特定の状態が発生したことを知ることができるため、ユーザにとって便利である。
【０００７】
しかし、単にバッジが表示されるだけでは、現在発生している特定の状態の具体的な内容まではすぐにはわからない。例えば上記の電子メール用のアプリケーションの場合、受信された件数はわかっても、電子メールの内容まではすぐにはわからず、内容を知るためにはアプリケーションを起動させて内容表示のための所定の画面遷移操作を行う必要がある。
【０００８】
特に、複数の機能を有する画像処理装置と各種データ通信を行うように構成されたアプリケーションの場合、複数の機能のうち何れかに関してバッジが表示された場合に、そのバッジ表示だけでは、具体的にどの機能について特定の状態が発生したのか、判断がつかない。そのため、どの機能に関してどのような特定の状態が発生したのかを知るためには、アプリケーションを実際に起動させて所定の操作手順を含むことで確認する必要があり、ユーザにとって必ずしも使い勝手が良いとは言えなかった。
【０００９】
本発明は上記課題に鑑みなされたものであり、複数の機能を有する画像処理装置において特定の状態が発生した場合に、その特定の状態がどの機能に関するものであるのか及びその特定の状態の具体的内容を、画像処理装置と無線通信可能な情報処理装置側において容易に知ることができるようにすることを目的とする。
【課題を解決するための手段】
【００１０】
本発明の機能実行プログラムは、表示部と、タッチパネルと、通信部とを備えた情報処理装置が有するコンピュータが読み取り可能なプログラムである。タッチパネルは、表示部における画像の表示領域に対する、指示体による接触及び近接の少なくとも一方である第１の操作、及び指示体が所定の強度以上の強度で押圧される操作である第２の操作を区別して検出可能に構成されている。通信部は、画像処理装置と無線通信可能である。
【００１１】
また、情報処理装置は、当該機能実行プログラムを起動させるための起動用のアイコンが表示部に表示され、起動用のアイコンに対して第１の操作が行われた場合は当該機能実行プログラムが起動されるように構成され、起動用のアイコンとして既定アイコンが設定されている。
【００１２】
そして、当該機能実行プログラムは、コンピュータに、機能情報取得処理と、特定状態取得処理と、アイコン変更処理と、特定表示処理とを実行させるように構成されている。
機能情報取得処理は、前記通信部を介して前記画像処理装置と無線通信を行うことにより、前記画像処理装置が備える複数の機能を示す機能情報を取得する処理である。特定状態取得処理は、前記機能情報取得処理により取得された前記機能情報が示す前記複数の機能の少なくとも１つについて、前記画像処理装置において予め決められた特定状態が発生している場合に、その特定状態を示す特定状態情報を取得する処理である。アイコン変更処理は、前記特定状態取得処理により前記特定状態情報が取得された場合に、前記表示部に表示されている前記起動用のアイコンを、前記特定状態取得処理により取得された前記特定状態情報に対応した前記機能を示す機能アイコンに変更させ、さらに、前記特定状態取得処理により取得された前記特定状態情報が示す前記特定状態を示す状態アイコンを前記表示部に表示させる処理である。特定表示処理は、前記アイコン変更処理によって表示されている前記機能アイコンに対して前記第２の操作がなされた場合、又は前記状態アイコンに対して前記第１の操作若しくは前記第２の操作がなされた場合に、前記特定状態の内容を示す特定状態画像を前記表示部に表示させる処理である。
【００１３】
情報処理装置においては、機能実行プログラムを起動させるための起動用のアイコンとして、通常は既定アイコンが表示される。これに対し、上記構成の機能実行プログラムが実行されると、画像処理装置において特定状態が発生した場合、起動用のアイコンがその特定状態に対応した機能アイコンに変更され、且つその特定状態を示す状態アイコンが表示される。さらに、機能アイコン及び状態アイコンの少なくとも一方に対して上記のように操作が行われた場合は、特定状態の内容を示す特定状態画像が表示される。
【００１４】
したがって、上記構成の機能実行プログラムによれば、画像処理装置が備える複数の機能のうち何れかについて特定状態が発生した場合に、その発生した特定状態がどの機能に関するものであるのかを情報処理装置側で容易に知ることができると共に、その特定の状態の具体的内容についても情報処理装置側で容易に知ることが可能となる。
【図面の簡単な説明】
【００１５】
【図１】実施形態の画像処理システムの構成を示す説明図。
【図２】複合機の装置状態情報テーブルの一例を示す説明図。
【図３】サーバのファームバージョンテーブルの一例を示す説明図。
【図４】携帯端末の待機画面の一例を示す説明図。
【図５】複合機に特定状態が発生した場合の、携帯端末の待機画面の一例を示す説明図。
【図６】複合機に特定状態が発生した場合の、携帯端末の待機画面に表示される起動用のアイコン５０及び状態アイコン６０の一例を示す説明図。
【図７】装置状態通知処理を示すフローチャート。
【図８】状態通知対応処理を示すフローチャート。
【図９】図８のＳ５３０及びＳ５７０の画像閲覧処理の詳細を示すフローチャート。
【発明を実施するための形態】
【００１６】
以下、本発明の例示的な実施形態について図面を参照しながら説明する。
（１）画像処理システムの概要
本実施形態の画像処理システムは、図１に示すように、携帯端末１０と、複合機３０とを備える。
【００１７】
携帯端末１０は、例えばスマートフォン、タブレット端末などの、携帯して使用可能な情報処理装置である。携帯端末１０は、ＣＰＵ１１、記憶部１２、メモリカードインタフェース部（以下「メモリカードＩ／Ｆ」と称す）１３、入力部１４、表示部１５、音声入出力部１６、撮影部１７、第１無線通信部２１、及び第２無線通信部２２を備える。これら各部は、バスライン２０を介して互いに接続される。
【００１８】
ＣＰＵ１１は、非遷移的実体的記憶媒体に格納されたプログラムを実行することにより各種機能を実現する。本実施形態では、記憶部１２が、プログラムを格納した非遷移的実体的記憶媒体に該当する。なお、以下の説明では、プログラムを実行するＣＰＵ１１のことを、単にプログラム名で記載する場合もある。例えば「プログラムは」という記載が「プログラムを実行するＣＰＵ１１は」を意味する場合もある。後述する複合機３０のＣＰＵ３１についても同様である。
【００１９】
記憶部１２は、例えばＲＯＭ、ＲＡＭ、フラッシュメモリ等の半導体メモリを少なくとも１つ含む。なお、ＣＰＵ１１がプログラムを実行することにより実現される機能の一部又は全てを、論理回路やアナログ回路等を組み合わせたハードウェアを用いて実現してもよい。
【００２０】
メモリカードＩ／Ｆ１３は、書き換え可能な不揮発性のメモリカード（不図示）が装着されるインタフェース部であり、メモリカードに対するデータの書き込み及び読み出しを制御する。
【００２１】
入力部１４は、ユーザによる入力操作を受け付ける入力装置であり、タッチパネル１４ａを有する。タッチパネル１４ａに加えて操作ボタンなどの各種の入力手段を有していてもよい。表示部１５は、画像を表示可能な表示デバイスであり、例えば、不図示の液晶ディスプレイを有する。
【００２２】
記憶部１２には、各種のソフトウェアやデータが記憶されている。本実施形態では、記憶部１２に、ソフトウェアとして、ＯＳ（オペレーティングシステムの略称）２６と、遠隔利用アプリ２７とが記憶されている。遠隔利用アプリ２７には、後述する各種のアイコンの画像データが含まれる。ＯＳ２６及び遠隔利用アプリ２７は、ＣＰＵ１１を含むコンピュータシステムにインストールされている。
【００２３】
タッチパネル１４ａは、表示部１５が有する表示デバイスにおける画像表示領域に重畳配置される。タッチパネル１４ａは、表示部１５の画像表示領域に対する、指先やペンなどの指示体による、特定の位置を指示する指示操作を検出することが可能に構成された入力装置である。ここでいう「指示」とは、指示体が接触すること及び近接することの少なくとも一方を含む。タッチパネル１４ａは、指示体による指示操作として、例えば接触のみ検出可能であってもよいし、近接のみ検出可能であってもよいし、接触及び近接の双方を検出可能であってもよい。
【００２４】
本実施形態のタッチパネル１４ａは、指示体による指示操作が行われると、指示操作が行われた位置を示す検出信号を出力する。即ち、指示体の接触を検出可能に構成されている場合は、指示体が接触した位置を示す検出信号を出力する。指示体の近接を検出可能に構成されている場合は、指示体が近接した位置、即ち近接したことが検知された位置を示す検出信号を出力する。
【００２５】
また、本実施形態のタッチパネル１４ａは、指示体が接触した場合に、その接触強度を、少なくとも２種類に区別して検出することが可能である。
具体的に、タッチパネル１４ａは、指示体が接触したときの接触強度が例えば特定の強度閾値以上の場合は、接触強度が強度閾値以上であることを示す特定の信号を含む検出信号を出力する。接触強度が強度閾値未満の場合は、上記特定の信号を含まない検出信号を出力するか、若しくは上記特定の信号とは異なる信号を含む検出信号を出力する。
【００２６】
ここでいう接触強度は、例えば力（単位：［Ｎ］）で規定してもよいし、例えば圧力（単位：［Ｐａ］）で規定してもよいし、その他の単位系の物理量で規定してもよい。
なお、以下の説明では、指示操作とは、特にことわりのない限り、指示体が強度閾値未満の接触強度で接触すること及び近接することの少なくとも一方を意味するものとする。そして、指示体が強度閾値以上の接触強度で接触することを、押圧操作と称する。
【００２７】
ＣＰＵ１１は、タッチパネル１４ａから出力される検出信号に基づいて、指示体による指示操作の有無、押圧操作の有無、指示操作又は押圧操作がなされた場合にその操作がなされた位置などを判断する。これらの判断は、具体的には、ＯＳ２６によって行われる。ＯＳ２６は、タッチパネル１４ａからの検出信号に基づいて、指示操作の有無、押圧操作の有無、指示操作又は押圧操作がなされた位置などを検出する。
【００２８】
遠隔利用アプリ２７は、ＯＳ２６による上記検出結果を示す指示体情報を取得し、その指示体情報に基づいて、指示体による指示操作の有無、押圧操作の有無、指示操作又は押圧操作がなされた位置などを判断する。なお、これらの判断をＯＳ２６が行って、ＯＳ２６がその判断結果を遠隔利用アプリ２７へ伝えるようにしてもよい。
【００２９】
また、遠隔利用アプリ２７は、指示体によって指示操作されている場合にその指示操作されている位置が変化した場合は、その変化状態に基づいて指示体の動きを判断する。具体的には、例えば、指示体の移動量、移動速度、移動加速度、移動方向の少なくとも１つを判断する。移動量は、例えば、ＯＳ２６から取得する指示体の位置の変化量を演算することで得られる。移動速度は、例えば、移動量の時間変化率を演算することで得られる。移動加速度は、例えば、移動速度の時間変化率に基づいて得られる。遠隔利用アプリ２７は、上述した指示体の動きを判断し、これらに基づいて、指示体による操作として、例えばタップ、ドラッグ、フリック、スワイプ、ピンチイン、ピンチアウト、などの各種操作を検出することができる。なお、これらの検出についても、ＯＳ２６が行って、ＯＳ２６がその検出結果を遠隔利用アプリ２７へ伝えるようにしてもよい。
【００３０】
音声入出力部１６は、マイクやスピーカなどで構成された音声入出力用デバイスである。撮影部１７は、いわゆるデジタルカメラとしての機能を担うものであり、画像を撮影してその画像を示す画像データを生成することができる。撮影部１７で撮影された画像データは、例えば記憶部１２に記憶される。
【００３１】
第１無線通信部２１は、移動通信網１２０を介した音声通話やデータ通信を行うためのインタフェース部である。第１無線通信部２１は、例えば、ＬＴＥ規格による無線通信を行うことが可能な構成であってもよい。なお、「ＬＴＥ」は、「Ｌｏｎｇ  Ｔｅｒｍ  Ｅｖｏｌｕｔｉｏｎ」の略称である。
【００３２】
第２無線通信部２２は、無線ＬＡＮ規格による通信（以下「無線ＬＡＮ通信」と称す）を行うためのインタフェース部である。本実施形態では、第２無線通信部２２が行う無線ＬＡＮ通信は、ＩＥＥＥ８０２．１１ｂ／ｇ／ｎの規格に準拠した無線ＬＡＮ通信である。
【００３３】
携帯端末１０は、第２無線通信部２２を介して、ＡＰ１５０との間で無線ＬＡＮ通信を行うことができる。ＡＰ１５０は、無線ＬＡＮ通信を中継する中継装置である。なお、「ＡＰ」は、「Ａｃｃｅｓｓ  Ｐｏｉｎｔ」の略称であり、一般にアクセスポイントと呼ばれる。
【００３４】
ＡＰ１５０は、ルータ１５１を介してインターネット１１０に接続されている。よって、携帯端末１０は、ＡＰ１５０及びルータ１５１を介してインターネット１１０に接続できる。なお、携帯端末１０は、第１無線通信部２１から移動通信網１２０経由でインターネット１１０に接続することも可能である。
【００３５】
インターネット１１０には、サーバ１６０を含む複数の情報処理装置が接続されている。携帯端末１０は、第１無線通信部２１又は第２無線通信部２２を介して、インターネット１１０に接続されている各種の情報処理装置とデータ通信を行うことができる。
【００３６】
サーバ１６０は、例えば複合機３０のベンダによって提供される。サーバ１６０は、複合機３０を含む、当該ベンダが提供する各種の複合機やその他の機器に関する情報を提供可能に構成されている。
【００３７】
サーバ１６０に記憶されている情報には、ファームバージョンテーブル１６１が含まれる。ファームバージョンテーブル１６１は、ベンダが提供する各種機器のファームウェアの最新バージョン（以下「最新ファームバージョン」と称す）が記憶されたものである。ファームバージョンテーブル１６１の具体例を図３に示す。図３に示すファームバージョンテーブル１６１は、複数種類の複合機それぞれの最新ファームバージョンが記憶されている。例えば、装置ＩＤが「ＭＦＣ−ＸＸＸＸ」の複合機の最新ファームバージョンは「１．００」である。装置ＩＤとは、複合機の機種毎に割り当てられた、機種固有のＩＤである。
【００３８】
複合機３０は、印刷機能、スキャン機能、コピー機能、ファクシミリ機能などの各種機能を有している。また、複合機は、前述の主要な機能のほかに、後述するステータス監視機能や、ファームウェア管理機能なども有している。
【００３９】
複合機３０は、ＣＰＵ３１、記憶部３２、入力部３４、表示部３５、スキャナ部３６、印刷部３７、通信Ｉ／Ｆ３８、及び無線通信部４１を備えている。これらの構成要素は、バスライン４０を介して互いに接続される。
【００４０】
記憶部３２には、上述した各種機能を実現するための各種のプログラムやデータが記憶されている。ＣＰＵ３１は、記憶部３２に記憶されている各種プログラムを実行することにより、上述した各種機能を実現する。
【００４１】
記憶部３２に記憶されている各種プログラムとして、上述した各種機能を実現するためのファームウェア４６が含まれる。上記各種機能は、ＣＰＵ３１が主にファームウェア４６を実行することにより実現される。複合機３０の出荷時には、通常、その出荷時における最新のバージョンのファームウェア４６がインストールされて出荷される。
【００４２】
ただし、出荷後、ファームウェア４６として、新たなバージョンのファームウェアがベンダから提供される場合がある。これに対し、本実施形態の複合機３０は、ファームウェア管理機能を備えている。ファームウェア管理機能は、現在記憶されているファームウェアよりも新しい最新バージョンのファームウェアがある場合にその最新バージョンのファームウェアを取得して記憶部３２のファームウェア４６をアップデートする機能である。なお、最新バージョンのファームウェアは、例えばインターネット経由でダウンロードすることによって取得することができる。
【００４３】
無線通信部４１は、携帯端末１０の第２無線通信部２２と同様の構成であって同様の機能を有する。そのため、携帯端末１０と複合機３０は、ＡＰ１５０を介して相互に無線ＬＡＮ通信を行うことができる。なお、携帯端末１０と複合機３０は、ＡＰ１５０を介さずに直接無線ＬＡＮ通信を行うことが可能であってもよい。また、携帯端末１０と複合機３０とのデータ通信は、無線ＬＡＮ以外の他の通信方式で行われる構成であってもよい。
【００４４】
入力部３４は、ユーザによる入力操作を受け付ける入力装置であり、不図示のタッチパネルを有する。表示部３５は、画像を表示可能な表示デバイスであり、例えば、不図示の液晶ディスプレイを有する。
【００４５】
印刷部３７は、前述の印刷機能を実現するための主要構成要素であり、記録紙への画像の印刷を行うための各種の構成部材を有する。印刷部３７が有する構成部材には、インクカートリッジが含まれる。印刷部３７は、記録紙への画像の印刷を行うことが可能に構成されている。本実施形態の複合機３０は、印刷部３７によりモノクロ印刷及びカラー印刷の双方を可能に構成されており、印刷に用いられるインクカートリッジとして、例えば、ブラック、シアン、マゼンタ、イエローの４色を有している。
【００４６】
複合機３０は、当該複合機３０の各種状態を監視するステータス監視機能を有している。ステータス監視機能において、監視対象の各種状態のうちいずれかについて異常な状態になっていることを検出した場合は、所定の警告処理を行う。
【００４７】
ステータス監視機能には、複合機３０で用いられる各種の消耗品について、その残量を検出して残量が一定レベル以下になった場合に警告処理を行う機能が含まれる。本実施形態では、ステータス監視機能における、残量の監視対象の消耗品として、少なくとも、前述の４色のインクカートリッジがある。
【００４８】
ステータス監視機能において、インクカートリッジについては、定期的に、各色毎に残量を検出し、残量が一定レベル以下のインクカートリッジがあった場合には所定の警告処理を行う。なお、警告処理の具体的内容や、警告処理を行うか否かの判断基準となる前述の一定レベルなどについては、適宜決めることができる。
【００４９】
スキャナ部３６は、前述のスキャン機能を実現するための主要構成要素であり、原稿の画像を読み取って、その読み取った画像の画像データ（以下「スキャンデータ」と称す）を生成する。生成されたスキャンデータは、記憶部３２に記憶される。
【００５０】
スキャナ部３６により生成されたスキャンデータは、印刷部３７によって印刷させたり、無線通信部４１を介して外部へ送信したりすることができる。本実施形態では、スキャナ部３６により生成されたスキャンデータを携帯端末１０へ無線送信することができる。具体的に、生成されたスキャンデータそのものを送信できるのに加え、プレビュー用に画像サイズが縮小されたデータを送信することもできる。
【００５１】
本実施形態の複合機３０は、記憶部３２に記憶されているスキャンデータの数をスキャン件数として計数する機能を有している。複合機３０は、スキャナ部３６により原稿の画像が読み取られてスキャンデータが生成される毎に、そのスキャンデータを記憶部３２に記憶し、スキャン件数を１つ増加させる。スキャンデータが他の機器に無線送信されたり特定の削除操作が行われたりすると、そのスキャンデータは記憶部３２から削除される。スキャンデータが記憶部３２から削除されると、その削除された件数分、スキャン件数の値が減算される。
【００５２】
なお、スキャンデータが他の機器に無線送信された場合にそのスキャンデータを記憶部３２から削除することは必須ではなく、無線送信された後も記憶部３２に残しておき、特定の削除条件が成立した場合に削除するようにしてもよい。その場合、スキャン件数の減算は、スキャンデータが削除されたときに行ってもよいし、スキャンデータが他の機器に無線送信された時点で行ってもよい。
【００５３】
通信Ｉ／Ｆ３８は、前述のファクシミリ機能を実現するための主要構成要素であって、不図示のネットワーク通信網を介してファクシミリデータの送受信を行うための通信インタフェースであり、ネットワーク通信網に接続されている。複合機は、通信Ｉ／Ｆ３８を介して、ファクリミリデータを外部へ送信したり、外部からファクシミリデータを受信することができる。本実施形態では、外部から受信したファクシミリデータを携帯端末１０へ無線送信することができる。
【００５４】
通信Ｉ／Ｆ３８に接続されるネットワーク通信網は、例えば電話回線であってもよいし、例えばインターネット１１０であってもよい。また例えば、複数のネットワーク網が接続され、それら複数のネットワーク網のいずれかを選択的に使用してファクシミリデータを送受信可能であってもよい。
【００５５】
通信Ｉ／Ｆ３８を介してファクシミリデータが受信された場合、そのファクシミリデータは記憶部３２に記憶される。受信したファクシミリデータは、印刷部３７によって印刷させたり、無線通信部４１を介して外部へ送信したりすることができる。本実施形態では、受信したファクシミリデータを携帯端末１０へ無線送信することができる。具体的に、受信したファクシミリデータそのものを無線送信できるのに加え、プレビュー用に画像サイズが縮小されたデータを無線送信することもできる。
【００５６】
本実施形態の複合機３０は、ファクシミリデータを受信して記憶部３２に記憶する毎に、そのファクシミリデータに対して、新規に受信したものであることを示す新規フラグを付加する。そして、新規フラグが付加されているファクシミリデータの数をファクス件数として計数する。複合機３０は、ファクシミリデータが受信される毎に、そのファクシミリデータに新規フラグを付加して記憶部３２に記憶し、ファクス件数を１つ増加させる。
【００５７】
ファクシミリデータに付加された新規フラグは、所定のクリア条件が成立した場合にはクリアされる。クリア条件は種々考えられ、例えば、当該ファクシミリデータ又はそのプレビュー用データが外部に無線送信された場合であってもよいし、あるいは、複合機３０本体において印刷出力されたりプレビュー表示されたりした場合であってもよい。新規フラグが付加されたファクシミリデータが削除されることもクリア条件の１つである。クリア条件成立によって新規フラグがクリアされると、そのクリアされた件数に応じてファクス件数も減算される。
【００５８】
記憶部３２には、前述のファームウェア４６のほか、装置状態情報テーブル４７も記憶される。装置状態情報テーブル４７は、複合機３０における各種状態を示す情報であり、ファームウェア４６によって生成される。装置状態情報テーブル４７の具体例を図２（Ａ）〜図２（Ｃ）に示す。
【００５９】
図２（Ａ）〜図２（Ｃ）に示すように、本実施形態の装置状態情報テーブル４７には、複合機３０の装置ＩＤと、ファクス件数と、スキャン件数と、ファームバージョンと、ステータスとが含まれる。このうちファクス件数及びスキャン件数については前述の通りである。即ち、装置状態情報テーブル４７には、現在計数されている最新のファクス件数及びスキャン件数が記憶される。ファクス件数及びスキャン件数に増減が生じた場合は、その都度、装置状態情報テーブル４７中の該当する件数も更新される。あるいは、定期的に最新の件数を確認し、テーブル中の件数から変化している場合にその変化している件数に更新する構成であってもよい。
【００６０】
ファームバージョンは、記憶部３２に現に記憶されているファームウェア４６のバージョンを示す。ファームウェア４６がアップデートされた場合には、装置状態情報テーブル４７に記憶されるファームバージョンも、そのアップデート後のファームウェアのバージョンに更新される。
【００６１】
ステータスは、前述のステータス監視機能による監視結果を示す情報である。ステータス監視機能によって異常が検出されていない場合は、異常がない旨の情報が装置状態情報テーブル４７に記憶される。図２（Ａ）〜図２（Ｃ）には、異常がない旨の情報として、「０：Ｒｅａｄｙ」が例示されている。
【００６２】
一方、ステータス監視機能によって異常が検出された場合は、その異常を示す情報が装置状態情報テーブル４７に記憶される。例えば、シアンのインクカートリッジの残量が一定レベル以下になったことが検出された場合、装置状態情報テーブル４７には、図２（Ｃ）に例示するように、ステータスとして、シアンのインクカートリッジを交換すべき旨を示す情報が記憶される。
【００６３】
なお、図２（Ａ）〜図２（Ｃ）と図３とを比較して明らかなように、装置ＩＤが「ＭＦＣ−ＸＸＸＸ」の複合機と装置ＩＤが「ＭＦＣ−ＺＺＺＺ」の複合機は、いずれも、最新バージョンのファームウェアがインストールされている。一方、装置ＩＤが「ＭＦＣ−ＹＹＹＹ」の複合機には最新バージョンよりも古いバージョンのファームウェアがインストールされている。
【００６４】
（２）遠隔利用アプリの説明
携帯端末１０にインストールされている遠隔利用アプリ２７は、複合機３０を無線にて遠隔操作するためのソフトウェアである。遠隔利用アプリ２７は、例えば複合機３０のベンダにて提供され、携帯端末１０を含む各種の情報処理装置にインストールすることができる。
【００６５】
携帯端末１０において、遠隔利用アプリ２７がインストールされると、ＯＳ２６は、図４に例示するように、当該遠隔利用アプリ２７を示し且つ当該遠隔利用アプリ２７を起動させるための起動用のアイコン５０を表示部１５に表示させる。起動用のアイコン５０として、デフォルトでは、図４に示すような画像のアイコンである既定アイコン５０ａが表示される。なお、起動用のアイコン５０が表示される画面を、待機画面という。待機画面に表示されている起動用のアイコン５０に対して指示体による指示操作が行われた場合、ＯＳ２６は、遠隔利用アプリ２７を起動させる。
【００６６】
本実施形態の遠隔利用アプリ２７が有する機能には、例えば、印刷機能、スキャン機能、ファクシミリ機能、監視機能などがある。
印刷機能は、携帯端末１０から複合機３０へ画像データを送信してその画像データを複合機３０にて印刷させる機能を含む。
【００６７】
スキャン機能は、携帯端末１０から複合機３０へ画像読み取りを指示する機能、前述のスキャン件数を取得して表示させる機能、複合機３０に記憶されているスキャンデータ自体或いはそのプレビュー用の縮小データを複合機３０から無線送信させてそれを受信し、その受信したデータに基づいてスキャン画像をプレビュー表示させる機能などを含む。
【００６８】
ファクシミリ機能は、複合機３０から前述のファクス件数を取得して表示させる機能、複合機３０に記憶されているファクシミリデータ或いはそのプレビュー用の縮小データを複合機３０から無線送信させてそれを受信し、その受信したデータに基づいてファクシミリ画像をプレビュー表示させる機能などを含む。
【００６９】
監視機能は、複合機３０の各種ステータスを示す情報を取得して表示させる機能、複合機３０に現在インストールされているファームウェア４６のバージョンを示す情報を取得して表示させる機能、複合機３０に対してファームウェア４６を最新バージョンにアップデートするよう指示する機能などを含む。
【００７０】
遠隔利用アプリ２７が有する上記各機能は、通常、表示部１５に表示されている起動用のアイコン５０を指示操作することによって遠隔利用アプリ２７を起動させることにより実現できる。起動用のアイコン５０が指示操作されることによって遠隔利用アプリ２７が起動すると、遠隔利用アプリ２７は、上記各機能の中から実行対象の機能を選択させるための機能選択画面（不図示）を表示部１５に表示させる。その機能選択画面の中で何れかの機能が選択されると、その選択された機能を実行するための、その機能用の詳細選択画面（不図示）が表示される。そして、その詳細選択画面に対してさらに特定の操作を行うことで、選択した機能を実際に実行させることができる。例えば、選択した機能が監視機能であれば、複合機３０のステータスに関する情報を表示させて確認することができる。
【００７１】
このように、携帯端末１０において複合機３０の各種状態を確認したい場合は、上記のように各種選択操作及びそれに伴う各種画面遷移を経ることによって、必要な情報を表示させ、確認することができる。
【００７２】
これに対し、本実施形態の遠隔利用アプリ２７は、さらに、起動用のアイコン５０が指示体によって指示操作されなくても、定期的に起動して複合機３０の各種状態のうち特定の一部を取得して待機画面に表示させることが可能な、装置状態通知機能を有している。
【００７３】
遠隔利用アプリ２７が携帯端末１０にインストールされた後、その遠隔利用アプリ２７を利用して実際に複合機３０を遠隔操作するためには、操作対象の複合機３０を登録する必要がある。具体的に、遠隔利用アプリ２７のインストール後、遠隔利用アプリ２７を起動させて特定の登録処理を行うことで、操作対象の複合機３０を登録することができる。
【００７４】
登録処理は、例えば、第２無線通信部２２を介して通信可能な機器をサーチし、その中から何れか１つを選択させることにより行われる。操作対象として複合機３０が選択されると、遠隔利用アプリ２７は、機能情報取得処理を実行する。具体的に、選択された複合機３０と無線通信を行うことによって、複合機３０から、複合機３０が有する複数の機能を示す機能情報を取得する。
【００７５】
また、遠隔利用アプリ２７は、ユーザの意思に関係なく装置状態通知機能を定期的に実行するために、ＯＳ２６に対し、定期的に起動させるよう起動予約を行う。ＯＳ２６は、起動予約を受けると、以後、指定されたタイミングで定期的に遠隔利用アプリ２７を起動させる。なお、ＯＳ２６が遠隔利用アプリ２７を起動させるタイミングは適宜決めることができ、例えば一定周期で起動させるようにしてもよい。
【００７６】
遠隔利用アプリ２７は、起動されると、起動要因を確認する。そして、起動用のアイコン５０が指示操作されたことによる起動である場合は、前述のように不図示の機能選択画面を表示させ、以後、ユーザ操作に従って処理を実行する。
【００７７】
一方、ＯＳ２６による起動予約に基づく起動である場合には、遠隔利用アプリ２７は、当該遠隔利用アプリ２７が有する各種処理プログラムの１つである装置状態通知処理のプログラムを実行することにより、装置状態通知機能を実現する。装置状態通知処理の詳細内容は後で図７を用いて説明する。ここではまず、装置状態通知処理により実現される装置状態通知機能の概要について簡単に説明する。
【００７８】
装置状態通知機能が実行されると、遠隔利用アプリ２７は、複合機３０から第２無線通信部２２を介して、複合機３０が有する複数の機能の少なくとも１つについて、予め決められた特定状態が発生しているか否かを判断する。本実施形態では、登録処理時に複合機３０から取得した機能情報に基づき、複合機３０が有する複数の機能のうち、ファクシミリ機能、スキャン機能、ファームウェア管理機能、及びステータス監視機能に関し、それぞれ特定状態が発生しているか否か判断する。
【００７９】
ファクシミリ機能に対する特定状態とは、例えば、ファクシミリ件数が１件以上あることである。スキャン機能に対する特定状態とは、例えば、スキャン件数が１件以上あることである。ファームウェア管理機能に対する特定状態とは、例えば、現在インストールされているファームウェア４６よりも新しいバージョンのファームウェアが存在していることである。ステータス監視機能に対する特定状態とは、例えば、複合機３０において特定の複数種類のステータス異常の何れかが生じていることである。複数種類のステータス異常の中には、消耗品の残量が一定レベル以下になっていることが含まれる。
【００８０】
遠隔利用アプリ２７は、上述した特定状態が発生しているか否かを判断するために、複合機３０から、装置状態情報テーブル４７として記憶されている情報を取得する。さらに、インターネット１１０経由でサーバ１６０にアクセスし、複合機３０のファームウェア４６の最新ファームバージョンを取得する。
【００８１】
そして、取得した情報が、複合機３０において特定状態が発生していることを示す特定状態情報である場合は、その発生している特定状態に対応した機能に応じて起動用のアイコン５０を切り替え、且つその起動用のアイコン５０に、複合機３０で発生している特定状態の内容を示す状態アイコン６０を重畳表示させる。
【００８２】
具体的に、例えば複合機３０にインストールされているファームウェア４６のバージョンが最新バージョンよりも古いバージョンである場合には、表示部１５に表示される起動用のアイコン５０として、既定アイコン５０ａに代えて、例えば図６（Ｅ）に示すような、ファームウェア管理機能に対応したファームアイコン５０ｅを表示させる。さらに、状態アイコン６０として、ファームウェアを更新可能であることを示す特定のファームウェア警告アイコン６０ｅを、ファームアイコン５０ｅの一部に重畳するように表示させる。
【００８３】
このように、起動用のアイコン５０としてファームアイコン５０ｅが表示されて且つファームウェア警告アイコン６０ｅが表示されることで、ユーザは、遠隔利用アプリ２７を起動させることなく、複合機３０のファームウェアを更新可能であることを容易且つ迅速に認識することができる。
【００８４】
さらに、ファームアイコン５０ｅに対して押圧操作を行うか、又は、ファームウェア警告アイコン６０ｅに対して指示操作若しくは押圧操作を行うことで、後述するように、ファームウェアをアップデート可能であることを示す情報を表示させたり、複合機３０に対してファームウェアのアップデートを実行させることもできる。
【００８５】
また例えば、複合機３０においてステータスに異常が発生している場合であってそれが消耗品の残量に関する異常ではなく他の異常である場合は、表示部１５に表示される起動用のアイコン５０は既定アイコン５０ａのままとし、その既定アイコン５０ａ対し、例えば図６（Ａ）に示すように、状態アイコン６０として、ステータスの異常が生じていることを示すステータス警告アイコン６０ａを重畳表示させる。
【００８６】
このように、起動用のアイコン５０は既定アイコン５０ａであるもののその既定アイコン５０ａに対してステータス警告アイコン６０ａが表示されることで、ユーザは、遠隔利用アプリ２７を起動させることなく、複合機３０において、消耗品以外の何らかのステータス異常が発生していることを容易且つ迅速に認識することができる。
【００８７】
さらに、既定アイコン５０ａに対して押圧操作を行うか、又は、ステータス警告アイコン６０ａに対して指示操作若しくは押圧操作を行うことで、後述するように、発生している異常の具体的内容を表示させたり、発生している異常に関連したＦＡＱサイトにアクセスしてそのＦＡＱサイトを表示部１５に表示させることもできる。
【００８８】
一方、複合機３０において消耗品の残量が一定レベル以下になっていることに基づく警告処理が行われている場合は、表示部１５に表示される起動用のアイコン５０として、既定アイコン５０ａに代えて、例えば図６（Ｄ）に示すような、ステータス監視機能のうち特に消耗品の残量を監視する機能に対応した消耗品アイコン５０ｄを表示させる。さらに、状態アイコン６０として、消耗品の残量が一定レベル以下になっていることを示す消耗品警告アイコン６０ｄを、消耗品アイコン５０ｄの一部に重畳するように表示させる。
【００８９】
このように、起動用のアイコン５０として消耗品アイコン５０ｄが表示されて且つ消耗品警告アイコン６０ｄが表示されることで、ユーザは、遠隔利用アプリ２７を起動させることなく、複合機３０において消耗品を交換する必要があることを容易且つ迅速に認識することができる。
【００９０】
さらに、消耗品アイコン５０ｄに対して押圧操作を行うか、又は、消耗品警告アイコン６０ｄに対して指示操作若しくは押圧操作を行うことで、後述するように、消耗品の具体的種類を示す情報を表示させたり、その消耗品をオンライン購入することが可能な消耗品購入サイトにアクセスしてその消耗品購入サイトを表示部１５に表示させることもできる。
【００９１】
また例えば、複合機３０において、ファクス件数が１件以上計数されている場合は、表示部１５に表示される起動用のアイコン５０として、既定アイコン５０ａに代えて、例えば図６（Ｂ）に示すような、ファクシミリ機能に対応したファクスアイコン５０ｂを表示させる。さらに、状態アイコン６０として、ファクス件数を示すファクス件数アイコン６０ｂを、ファクスアイコン５０ｂの一部に重畳するように表示させる。
【００９２】
なお、図５の左側は、表示部１５において実際に起動用のアイコン５０としてファクスアイコン５０ｂが表示され、且つそれにファクス件数アイコン６０ｂが重畳表示されている状態を示している。図５及び図６（Ｂ）に示すファクス件数アイコン６０ｂは、数字「２」を示す画像であり、ファクス件数が２件であることを示している。
【００９３】
このように、起動用のアイコン５０としてファクスアイコン５０ｂが表示されて且つファクス件数アイコン６０ｂが表示されることで、ユーザは、遠隔利用アプリ２７を起動させることなく、複合機３０において新規にファクシミリデータが受信されていること及びその件数を容易且つ迅速に認識することができる。
【００９４】
さらに、ファクスアイコン５０ｂに対して押圧操作を行うか、又は、ファクス件数アイコン６０ｂに対して指示操作若しくは押圧操作を行うことで、後述するように、新規受信されて記憶されているファクシミリデータを表示部１５にプレビュー表示させることもできる。図５の右側は、２件のファクシミリデータのうち２件目についてそのプレビュー画像がポップアップ表示されている状態を示している。
【００９５】
また例えば、複合機３０において、スキャン件数が１件以上計数されている場合は、表示部１５に表示される起動用のアイコン５０として、既定アイコン５０ａに代えて、例えば図６（Ｃ）に示すような、スキャン機能に対応したスキャンアイコン５０ｃを表示させる。さらに、状態アイコン６０として、スキャン件数を示すスキャン件数アイコン６０ｃを、スキャンアイコン５０ｃの一部に重畳するように表示させる。図６（Ｃ）に示すスキャン件数アイコン６０ｃは、数字「３」を示す画像であり、スキャン件数が３件であることを示している。
【００９６】
このように、起動用のアイコン５０としてスキャンアイコン５０ｃが表示されて且つスキャン件数アイコン６０ｃが表示されることで、ユーザは、遠隔利用アプリ２７を起動させることなく、複合機３０において新規にスキャンデータが生成されていること及びその件数を容易且つ迅速に認識することができる。
【００９７】
さらに、スキャンアイコン５０ｃに対して押圧操作を行うか、又は、スキャン件数アイコン６０ｃに対して指示操作若しくは押圧操作を行うことで、後述するように、新規に読み取られて記憶されているスキャンデータを表示部１５にプレビュー表示させることもできる。
【００９８】
なお、異なる複数の機能それぞれにおいて特定状態が同時に発生している場合は、本実施形態では、優先順位の最も高い１つの機能を対象として、起動用のアイコン５０の切り替えや状態アイコン６０の表示が行われる。本実施形態では、ファームウェア管理機能、ステータス監視機能、ファクシミリ機能、スキャン機能、の順で優先順位が設定されている。即ち、ファームウェア管理機能が最も優先順位が高く、スキャン機能が最も優先順位が低い。そのため、例えば、複合機３０にインストールされているファームウェア４６のバージョンが古くなっていて、且つファクス件数が１件以上ある場合は、ファクシミリ機能よりもファームウェア管理機能の方が優先順位が高いことに基づき、起動用のアイコン５０はファームアイコン５０ｅに切り替わり、且つ状態アイコン６０としてファームウェア警告アイコン６０ｅが重畳表示される。後述する図７の装置状態通知処理は、この優先順位が反映された処理内容となっている。
【００９９】
（３）装置状態通知処理の説明
上述した装置状態通知機能を実現するための装置状態通知処理のより具体的な内容について、図７を用いて説明する。図７に示す装置状態通知処理は、既述の通り遠隔利用アプリ２７の一部であり、起動予約に基づいてＯＳ２６により起動された場合に実行される処理である。
【０１００】
携帯端末１０のＣＰＵ１１は、図７の装置状態通知処理を開始すると、Ｓ１１０で、複合機３０から第２無線通信部２２を介して、装置状態情報、即ち装置状態情報テーブル４７として記憶されている情報を、取得する。Ｓ１２０では、Ｓ１１０で取得した装置状態情報の中から装置ＩＤを取得する。
【０１０１】
Ｓ１３０では、サーバ１６０にアクセスして、Ｓ１２０で取得した装置ＩＤに対する最新ファームバージョンをサーバ１６０から取得する。Ｓ１４０では、複合機３０に記憶されているファームウェア４６の現在のバージョンが最新であるか否かを判断する。具体的に、Ｓ１１０で取得した装置状態情報に含まれるファームバージョンが、Ｓ１３０でサーバ１６０から取得した最新ファームバージョンと同じか否か判断する。
【０１０２】
複合機３０のファームウェア４６のバージョンが最新ファームバージョンと同じである場合はＳ１７０に進み、最新ファームバージョンよりも古い場合はＳ１５０に進む。
Ｓ１５０では、表示部１５に表示されている起動用のアイコン５０を、図６（Ｅ）に例示したようなファームアイコン５０ｅに設定する。なお、ここでいう設定とは、起動用のアイコン５０として表示させるべきアイコンを示すアイコン切替情報を、記憶部１２あるいはメモリカードＩ／Ｆ１３に装着されたメモリカードに記憶させることを意味する。後述するＳ１９０、Ｓ２１０、Ｓ２４０、Ｓ２７０、及びＳ２９０の各処理における「設定」についても同様である。
【０１０３】
よって、Ｓ１５０の処理は、詳しくは、起動用のアイコン５０としてファームアイコン５０ｅを表示させるために、そのファームアイコン５０ｅを示すアイコン切替情報を、記憶部１２あるいはメモリカードＩ／Ｆ１３に装着されたメモリカードに記憶させる処理である。
【０１０４】
Ｓ１６０では、状態情報としてファームアップデートを設定して、Ｓ３１０に進む。なお、ここでいう設定とは、具体的には、記憶部１２あるいはメモリカードＩ／Ｆ１３に装着されたメモリカードに記憶させることを意味する。後述するＳ２００、Ｓ２２０、Ｓ２５０、及びＳ２８０の各処理における「設定」についても同様である。
【０１０５】
よって、Ｓ１６０の処理は、詳しくは、状態情報としてファームアップデートを示す情報を記憶部１２あるいはメモリカードＩ／Ｆ１３に装着されたメモリカードに記憶させる処理である。
【０１０６】
Ｓ３１０では、起動用のアイコン５０及び状態アイコン６０の表示処理を行う。Ｓ１５０及びＳ１６０の処理を経てＳ３１０に移行した場合、Ｓ３１０では、Ｓ１５０及びＳ１６０で設定された情報に基づいて処理を行う。具体的には、ＯＳ２６に対し、表示部１５に表示されている起動用のアイコン５０をＳ１５０で設定したファームアイコン５０ｅに変更するよう指示し、且つ状態アイコン６０として、Ｓ１６０で設定した状態情報であるファームアップデートに対応したファームウェア警告アイコン６０ｅを表示するよう指示する。これにより、表示部１５には、起動用のアイコン５０としてファームアイコン５０ｅが表示され、且つそのファームアイコン５０ｅにファームウェア警告アイコン６０ｅが重畳表示される。Ｓ３１０の処理後は、装置状態通知処理を終了する。
【０１０７】
なお、装置状態通知処理によって起動用のアイコン５０に状態アイコン６０が重畳表示された場合、装置状態通知処理の終了後、起動用のアイコン５０が押圧操作されるか、又は、状態アイコン６０が指示操作若しくは押圧操作された場合は、遠隔利用アプリ２７が起動され、後述する図８の状態通知対応処理が実行される。なお、図８の状態通知対応処理の開始後、再び図４に示す待機画面に戻るまでは、図７の装置状態通知処理は行わないようにしてもよい。
【０１０８】
Ｓ１４０で肯定判定されてＳ１７０に進んだ場合、Ｓ１７０では、Ｓ１１０で取得した装置状態情報に含まれるステータス情報に基づき、複合機３０のステータスが正常か否か判断する。ステータス情報は、整数値のステータスコードと文字列で構成され、ステータスコードが０であれば正常、それ以外の値であれば正常ではないと判断する。よって、図２（Ａ）及び図２（Ｂ）に例示したステータス情報は、ステータスコードが０であるため、ステータスが正常であることを示している。一方、図２（Ｃ）に例示したステータス情報は、ステータスコードが０ではないため、ステータスが正常ではないことを示している。
【０１０９】
Ｓ１７０で、ステータスが正常である場合はＳ２３０に進み、ステータスが正常ではない場合はＳ１８０に進む。
Ｓ１８０では、ステータスの異常の内容が消耗品の残量に対する警告であるか否かを判断する。ステータスの異常の内容が消耗品の残量に対する警告ではない場合、即ち消耗品の残量以外の他の異常が発生している場合は、Ｓ２１０に進む。
【０１１０】
Ｓ２１０では、表示部１５に表示されている起動用のアイコン５０を、図６（Ａ）に例示したように既定アイコン５０ａに設定する。そして、Ｓ２２０で、状態情報としてステータス異常を設定して、Ｓ３１０に進む。
【０１１１】
Ｓ２１０及びＳ２２０の処理を経てＳ３１０に移行した場合、Ｓ３１０では、Ｓ２１０及びＳ２２０で設定された情報に基づいて処理を行う。具体的には、ＯＳ２６に対し、表示部１５に表示されている起動用のアイコン５０をＳ２１０で設定した既定アイコン５０ａにするよう指示し、且つ状態アイコン６０として、Ｓ２２０で設定した状態情報であるステータス異常に対応したステータス警告アイコン６０ａを表示するよう指示する。これにより、表示部１５には、起動用のアイコン５０として既定アイコン５０ａが表示され、且つその既定アイコン５０ａにステータス警告アイコン６０ａが重畳表示される。
【０１１２】
Ｓ１８０で、ステータスの異常の内容が消耗品の残量に対する警告である場合、即ち消耗品の残量が一定レベル以下になっている場合は、Ｓ１９０に進む。Ｓ１９０では、表示部１５に表示されている起動用のアイコン５０を、図６（Ｄ）に例示したような消耗品アイコン５０ｄに設定する。そして、Ｓ２００で、状態情報として消耗品警告を設定して、Ｓ３１０に進む。
【０１１３】
Ｓ１９０及びＳ２００の処理を経てＳ３１０に移行した場合、Ｓ３１０では、Ｓ１９０及びＳ２００で設定された情報に基づいて処理を行う。具体的には、ＯＳ２６に対し、表示部１５に表示されている起動用のアイコン５０をＳ１９０で設定した消耗品アイコン５０ｄにするよう指示し、且つ状態アイコン６０として、Ｓ２００で設定した状態情報である消耗品警告に対応した消耗品警告アイコン６０ｄを表示するよう指示する。これにより、表示部１５には、起動用のアイコン５０として消耗品アイコン５０ｄが表示され、且つその消耗品アイコン５０ｄに消耗品警告アイコン６０ｄが重畳表示される。
【０１１４】
Ｓ１７０で肯定判定されてＳ２３０に進んだ場合、Ｓ２３０では、Ｓ１１０で取得した装置状態情報に含まれるファクス件数に基づき、ファクス件数が１以上か否か判断する。ファクス件数が０である場合はＳ２６０に進み、ファクス件数が１以上の場合はＳ２４０に進む。
【０１１５】
Ｓ２４０では、表示部１５に表示されている起動用のアイコン５０を、図６（Ｂ）に例示したようなファクスアイコン５０ｂに設定する。そして、Ｓ２５０で、状態情報としてファクス件数を設定して、Ｓ３１０に進む。
【０１１６】
Ｓ２４０及びＳ２５０の処理を経てＳ３１０に移行した場合、Ｓ３１０では、Ｓ２４０及びＳ２５０で設定された情報に基づいて処理を行う。具体的には、ＯＳ２６に対し、表示部１５に表示されている起動用のアイコン５０をＳ２４０で設定したファクスアイコン５０ｂにするよう指示し、且つ状態アイコン６０として、Ｓ２５０で設定した状態情報であるファクス件数を示すファクス件数アイコン６０ｂを表示するよう指示する。これにより、表示部１５には、起動用のアイコン５０としてファクスアイコン５０ｂが表示され、且つそのファクスアイコン５０ｂにファクス件数アイコン６０ｂが重畳表示される。
【０１１７】
Ｓ２３０でファクス件数が０であった場合に移行するＳ２６０では、Ｓ１１０で取得した装置状態情報に含まれるスキャン件数に基づき、スキャン件数が１以上か否か判断する。スキャン件数が０である場合はＳ２９０に進み、スキャン件数が１以上の場合はＳ２７０に進む。
【０１１８】
Ｓ２７０では、表示部１５に表示されている起動用のアイコン５０を、図６（Ｃ）に例示したようなスキャンアイコン５０ｃに設定する。そして、Ｓ２８０で、状態情報としてスキャン件数を設定して、Ｓ３１０に進む。
【０１１９】
Ｓ２７０及びＳ２８０の処理を経てＳ３１０に移行した場合、Ｓ３１０では、Ｓ２７０及びＳ２８０で設定した情報に基づいて処理を行う。具体的には、ＯＳ２６に対し、表示部１５に表示されている起動用のアイコン５０をＳ２７０で設定したスキャンアイコン５０ｃにするよう指示し、且つ状態アイコン６０として、Ｓ２８０で設定した状態情報であるスキャン件数を示すスキャン件数アイコン６０ｃを表示するよう指示する。これにより、表示部１５には、起動用のアイコン５０としてスキャンアイコン５０ｃが表示され、且つそのスキャンアイコン５０ｃにスキャン件数アイコン６０ｃが重畳表示される。
【０１２０】
Ｓ２６０でスキャン件数が０であった場合、Ｓ２９０で、表示部１５に表示されている起動用のアイコン５０を、図６（Ａ）に例示した既定アイコン５０ａに設定する。そして、Ｓ３００で、状態情報の設定を解除して、Ｓ３１０に進む。なお、Ｓ３００における「設定を解除」とは、記憶部１２あるいはメモリカードＩ／Ｆ１３に装着されたメモリカードに記憶されている状態情報を削除することを意味する。
【０１２１】
Ｓ２９０及びＳ３００の処理を経てＳ３１０に移行した場合、Ｓ３１０では、Ｓ２９０で設定した情報、及びＳ３００で状態情報の設定が解除されたことに基づいて、処理を行う。具体的には、ＯＳ２６に対し、表示部１５に表示されている起動用のアイコン５０をＳ２９０で設定した既定アイコン５０ａにするよう指示する。さらに、Ｓ３００で状態情報の設定が解除されたことに基づき、状態アイコン６０を消去するよう指示する。これにより、表示部１５には、起動用のアイコン５０として既定アイコン５０ａが表示され、状態アイコン６０は表示されなくなる。つまり図４に例示したようなデフォルト状態となる。
【０１２２】
（４）状態通知対応処理の説明
起動用のアイコン５０に状態アイコン６０が重畳表示されている状態で、起動用のアイコン５０が押圧操作されるか、又は、状態アイコン６０が指示操作若しくは押圧操作されると、遠隔利用アプリ２７が起動され、図８の状態通知対応処理が実行される。
【０１２３】
図８の状態通知対応処理が開始されると、Ｓ４１０で、現在設定されている状態情報、即ち記憶部１２あるいはメモリカードＩ／Ｆ１３に装着されたメモリカードに記憶されている情報を確認する。状態情報は、前述の通り、図７における、Ｓ１６０、Ｓ２００、Ｓ２２０、Ｓ２５０、及びＳ２８０の何れかにおいて設定される。
【０１２４】
現在設定されている状態情報がファームアップデートである場合は、Ｓ４３０に進む。Ｓ４３０では、ファームアップデート通知表示を行う。具体的に、ファームウェアをアップデート可能であることを示す情報を表示部１５に表示させる。表示領域内においてどこにどのように表示させるかについては適宜決めてよく、例えば、図５の右側に例示しているプレビュー画像７０と同じように、起動用のアイコン５０の近傍にポップアップ表示させるようにしてもよい。後述するＳ４６０及びＳ４９０についても同様である。
【０１２５】
なお、ファームアップデート通知表示において表示される情報として、例えば、現在インストールされているファームウェア４６のバージョン、及び最新ファームバージョンのうち少なくとも一方を表示させるようにしてもよい。
【０１２６】
Ｓ４３０でファームアップデート通知表示を行った後、Ｓ４４０で処理要求操作が行われたことを検知した場合は、Ｓ４５０に進む。なお、処理要求操作とは、現在発生している特定状態に対して予め設定されている処理を実行させるための特定の操作である。処理要求操作の具体的内容は適宜決めてよく、本実施形態では例えば、状態アイコン６０に対するタップ操作、又はＳ４３０のファームアップデート通知表示により表示されている画像に対するタップ操作である。
【０１２７】
Ｓ４５０では、ファームアップデートを実行する。具体的に、複合機３０に対し、無線通信により、ファームウェア４６をアップデートするよう指示する。これにより、複合機３０において、最新バージョンのファームウェアのダウンロード及びアップデート処理が行われる。
【０１２８】
Ｓ４１０で、現在設定されている状態情報がステータス異常である場合は、Ｓ４６０に進む。Ｓ４６０では、異常詳細表示を行う。具体的に、複合機３０で発生しているステータスの異常状態を具体的に示す情報を表示部１５に表示させる。
【０１２９】
Ｓ４６０で異常詳細表示を行った後、Ｓ４７０で処理要求操作が行われたことを検知した場合は、Ｓ４８０に進む。Ｓ４８０では、現在発生しているステータスの異常に関連したＦＡＱサイトにアクセスして、そのＦＡＱサイトを表示部１５に表示させる。これにより、ユーザは、現在発生しているステータスの異常に対してどのように対処すべきかを容易且つ効率的に知ることができる。
【０１３０】
なお、ＦＡＱサイトのアドレスは、例えば、異常の内容毎に予め遠隔利用アプリ２７の一部として含まれていてもよいし、複合機３０に記憶されていて図７のＳ１３０で複合機３０から受信するようにしてもよいし、サーバ１６０或いは他の特定の情報処理装置にアクセスして異常の内容に対応したＦＡＱサイトのアドレスを問い合わせて取得するようにしてもよい。
【０１３１】
Ｓ４１０で、現在設定されている状態情報が消耗品警告である場合は、Ｓ４９０に進む。Ｓ４９０では、消耗品残量表示を行う。具体的に、残量が一定レベル以下になっている消耗品が何であるかを示す情報を表示部１５に表示させる。このとき、例えば消耗品の残量があとどの程度あるのか、などの付加的な情報を複合機３０から取得してその付加的な情報を表示させてもよい。なお、付加的な情報は、図７のＳ１３０又はそれ以後の特定のタイミングで予め取得しておいてもよい。
【０１３２】
Ｓ４９０で消耗品残量表示を行った後、Ｓ５００で処理要求操作が行われたことを検知した場合は、Ｓ５１０に進む。Ｓ５１０では、残量が一定レベル以下になっている消耗品をオンライン購入することが可能な消耗品購入サイトにアクセスして、その消耗品購入サイトを表示部１５に表示させる。これにより、ユーザは、残量が少なくなっている消耗品を迅速且つ効率的にオンライン購入することができる。
【０１３３】
なお、消耗品購入サイトのアドレスは、例えば、消耗品の種類毎に予め遠隔利用アプリ２７の一部として含まれていてもよいし、複合機３０に記憶されていて図７のＳ１３０で複合機３０から受信するようにしてもよいし、サーバ１６０或いは他の特定の情報処理装置にアクセスして消耗品の種類に対応した消耗品購入サイトのアドレスを問い合わせて取得するようにしてもよい。
【０１３４】
Ｓ４１０で、現在設定されている状態情報がファクス件数である場合は、Ｓ５２０に進む。Ｓ５２０では、複合機３０においてファクス件数として計数されているファクシミリデータのうち最新のファクシミリデータのプレビュー画像７０（図５参照）を表示部１５に表示させる。なお、プレビュー画像７０のデータは、Ｓ５２０の処理において複合機３０から取得してもよいし、Ｓ１３０の処理或いはそれ以後の特定のタイミングで予め取得しておいてもよい。また、プレビュー画像７０のデータは、最新のファクシミリデータのデータだけでなく、ファクス件数として計数されている全てのファクシミリデータのデータを取得するようにしてもよい。
【０１３５】
Ｓ５３０では、画像閲覧処理を実行する。画像閲覧処理の詳細は図９に示す通りであり、Ｓ７１０で、指示体によるフリック操作が行われたか否か判断する。フリック操作が行われていない場合はＳ７９０に進み、フリック操作が行われた場合はＳ７２０に進む。
【０１３６】
Ｓ７２０では、フリック操作の具体的内容が、進み操作及び戻り操作のどちらであるか判断する。
戻り操作とは、表示させるプレビュー画像７０を、現在表示されているプレビュー画像７０よりも１つ古いプレビュー画像７０に切り替えるための操作である。なお、「古い」とは、受信されて記憶部３２に記憶された日時が古いことを意味する。戻り操作の具体例として、例えば、現在表示されているプレビュー画像７０に対して特定の戻り方向（例えば画面左方向）にフリック操作すること、が考えられる。
【０１３７】
一方、進み操作とは、表示させるプレビュー画像７０を、現在表示されているプレビュー画像７０よりも１つ新しいプレビュー画像７０に切り替えるための操作である。なお、「新しい」とは、受信されて記憶部３２に記憶された日時が新しいことを意味する。進み操作の具体例として、例えば、現在表示されているプレビュー画像７０に対して特定の進み方向（例えば画面右方向）にフリック操作すること、が考えられる。
【０１３８】
Ｓ７２０で、フリック操作が戻り操作であった場合は、Ｓ７６０に進む。Ｓ７６０では、前の画像、即ち現在表示されているプレビュー画像７０よりも古い画像があるか否か判断する。前の画像がない場合はＳ７９０に進み、前の画像がある場合はＳ７７０に進む。
【０１３９】
Ｓ７７０では、表示部１５に表示させるプレビュー画像７０を、現在表示させているプレビュー画像７０よりも１つ前のプレビュー画像７０に切り替える。なお、戻り操作が行われる度に、１つ前のプレビュー画像７０のデータを複合機３０から取得して表示させるようにしてもよい。Ｓ７８０では、状態アイコン６０の数値を１つ減少させる。
【０１４０】
Ｓ７２０で、フリック操作が進み操作であった場合は、Ｓ７３０に進む。Ｓ７３０では、後の画像、即ち現在表示されているプレビュー画像７０よりも新しい画像があるか否か判断する。後の画像がない場合はＳ７９０に進み、後の画像がある場合はＳ７４０に進む。
【０１４１】
Ｓ７４０では、表示部１５に表示させるプレビュー画像７０を、現在表示させているプレビュー画像７０よりも１つ後のプレビュー画像７０に切り替える。なお、進み操作が行われる度に、１つ後のプレビュー画像７０のデータを複合機３０から取得して表示させるようにしてもよい。Ｓ７５０では、状態アイコン６０の数値を１つ増加させる。
【０１４２】
Ｓ７９０では、処理要求操作が行われたか否か判断する。処理要求操作が行われていない場合はＳ７１０に戻り、処理要求操作が行われた場合は、図８のＳ５４０に進む。
Ｓ５４０では、遠隔利用アプリ２７が有する複数の機能のうちファクシミリ機能を起動させる。ファクシミリ機能が起動されることにより、表示部１５には、ファクシミリ機能の初期画面が表示される。
【０１４３】
Ｓ５５０では、ファクシミリ機能の初期画面に、処理要求操作の直前に表示されていたプレビュー画像７０を表示させる。ファクシミリ機能の初期画面が表示されると、以後、その初期画面を起点として、前述のファクシミリ機能を実行させることができる。
【０１４４】
Ｓ４１０で、現在設定されている状態情報がスキャン件数である場合は、Ｓ５６０に進む。Ｓ５６０では、複合機３０においてスキャン件数として計数されているスキャンデータのうち最新のスキャンデータのプレビュー画像を表示部１５に表示させる。なお、プレビュー画像のデータは、Ｓ５６０の処理において複合機３０から取得してもよいし、Ｓ１３０の処理或いはそれ以後の特定のタイミングで予め取得しておいてもよい。また、プレビュー画像のデータは、最新のスキャンデータのデータだけでなく、スキャン件数として計数されている全てのスキャンデータのデータを取得するようにしてもよい。
【０１４５】
Ｓ５７０では、Ｓ５３０と同様、画像閲覧処理を実行する。Ｓ５７０の画像閲覧処理は、処理対象がスキャンデータのプレビュー画像であることを除き、図９を用いて説明した前述のＳ５３０の画像閲覧処理と同様である。Ｓ５７０の画像閲覧処理において処理要求操作が行われた場合は、Ｓ５８０に進む。
【０１４６】
Ｓ５８０では、遠隔利用アプリ２７が有する複数の機能のうちスキャン機能を起動させる。スキャン機能が起動されることにより、表示部１５には、スキャン機能の初期画面が表示される。
【０１４７】
Ｓ５９０では、スキャン機能の初期画面に、処理要求操作の直前に表示されていたプレビュー画像を表示させる。スキャン機能の初期画面が表示されると、以後、その初期画面を起点として、前述のスキャン機能を実行させることができる。
【０１４８】
（５）実施形態の効果
以上説明した実施形態によれば、以下の効果が得られる。
携帯端末１０において、待機画面には、遠隔利用アプリ２７を起動させるための起動用のアイコン５０として、通常は既定アイコン５０ａが表示される。これに対し、起動予約に基づいて、遠隔利用アプリ２７が有する装置状態通知機能が実行されると、複合機３０において特定状態が発生している場合、起動用のアイコン５０が、その特定状態に対応した機能アイコンに設定され、且つその特定状態を示す状態アイコン６０が表示される。
【０１４９】
したがって、本実施形態の遠隔利用アプリ２７によれば、複合機３０が備える複数の機能のうち何れかについて特定状態が発生した場合に、その発生した特定状態がどの機能に関するものであるのかを、待機画面が表示されている状態で容易に知ることができる。
【０１５０】
また、起動用のアイコン５０が押圧操作されるか、又は、状態アイコン６０が指示操作若しくは押圧操作されると、特定状態の内容を示す特定状態画像が表示される。特定状態画像の具体的内容は、図８でＳ４３０、Ｓ４６０、Ｓ４９０、Ｓ５２０、及びＳ５６０として例示したように、発生している特定状態によって異なる。例えば、状態アイコン６０として図５の左側に例示したようなファクス件数アイコン６０ｂが表示されている場合は、特定状態画像として、図５の右側に例示したようなプレビュー画像７０が表示される。そのため、複合機３０で特定状態が発生した場合に、その特定状態の具体的内容についても、待機画面から簡素な操作にて容易に知ることができる。
【０１５１】
また、本実施形態では、ファームウェア管理機能、ステータス監視機能、ファクシミリ機能、スキャン機能、の順で優先順位が設定されており、異なる複数の機能で同時に特定状態が発生した場合は、優先順位が最も高い機能を対象として、起動用のアイコン５０の切り替えや状態アイコン６０の表示が行われる。そのため、ユーザは、発生している特定状態のうち優先順位の高い情報を容易且つ効率的に知ることができる。なお、優先順位は、予め固定されていてもよいし、ユーザが任意に変更できるようにしてもよい。
【０１５２】
また、本実施形態の複合機３０は、複数の機能の１つとしてファクシミリ機能を備えている。そして、遠隔利用アプリ２７は、ファクス件数が１件以上、という特定状態が発生している場合は、状態アイコン６０として、ファクス件数を示すファクス件数アイコン６０ｂを表示させる。
【０１５３】
そのため、複合機３０において新規にファクシミリデータが受信されたことを、起動用のアイコン５０がファクスアイコン５０ｂに切り替わることによって知ることができると共に、状態アイコン６０としてファクス件数アイコン６０ｂが表示されることによってファクス件数を知ることができる。
【０１５４】
さらに、起動用のアイコン５０としてのファクスアイコン５０ｂが押圧操作されるか、又は状態アイコン６０としてのファクス件数アイコン６０ｂが指示操作若しくは押圧操作されると、図５に例示したように、ファクシミリデータのプレビュー画像７０がポップアップ表示される。しかも、プレビュー画像７０に対してフリック操作を行うことで、プレビュー画像７０を切り替えることができる。そのため、ユーザは、新規受信されているファクシミリデータの内容を、簡単な操作によって迅速に知ることもできる。
【０１５５】
また、本実施形態の複合機３０は、複数の機能の１つとしてスキャン機能を備えている。そして、遠隔利用アプリ２７は、スキャン件数が１件以上、という特定状態が発生している場合は、状態アイコン６０として、スキャン件数を示すスキャン件数アイコン６０ｃを表示させる。
【０１５６】
そのため、複合機３０において新規に原稿の画像が読み取られたことを、起動用のアイコン５０がスキャンアイコン５０ｃに切り替わることによって知ることができると共に、状態アイコン６０としてスキャン件数アイコン６０ｃが表示されることによってスキャン件数を知ることができる。
【０１５７】
さらに、起動用のアイコン５０としてのスキャンアイコン５０ｃが押圧操作されるか、又は状態アイコン６０としてのスキャン件数アイコン６０ｃが指示操作若しくは押圧操作されると、図５の右側に例示したファクシミリデータのプレビュー画像７０と同じように、スキャンデータのプレビュー画像がポップアップ表示される。しかも、プレビュー画像に対してフリック操作を行うことで、プレビュー画像を切り替えることができる。そのため、ユーザは、新規生成されたスキャンデータの内容を、簡単な操作によって迅速に知ることもできる。
【０１５８】
また、本実施形態の複合機３０は、複数の機能の１つとしてファームウェア管理機能を備えている。ファームウェア管理機能には、ファームウェア４６をアップデートする機能が含まれる。そして、遠隔利用アプリ２７は、複合機３０にインストールされているファームウェア４６のバージョンよりも新しい最新バージョンのファームウェアが存在していてその最新バージョンのファームウェアに更新可能である、という特定状態が発生している場合は、状態アイコン６０として、ファームウェア警告アイコン６０ｅを表示させる。
【０１５９】
そのため、複合機３０においてファームウェア４６を最新バージョンにアップデート可能であることを、起動用のアイコン５０がファームアイコン５０ｅに切り替わることによって知ることができると共に、状態アイコン６０としてファームウェア警告アイコン６０ｅが表示されることによってファームウェアをアップデート可能であることを知ることができる。
【０１６０】
また、起動用のアイコン５０としてのファームアイコン５０ｅが押圧操作されるか、又は状態アイコン６０としてのファームウェア警告アイコン６０ｅが指示操作若しくは押圧操作されると、ファームアップデート通知表示（Ｓ４３０）が行われる。そのため、ユーザは、ファームウェア４６をアップデート可能であることを、簡単な操作によって迅速に知ることもできる。
【０１６１】
さらに、ファームアップデート通知表示が行われた後、特定の処理要求操作（Ｓ４４０）を行うことで、複合機３０に対してファームウェア４６をアップデートするよう指示することができる。
【０１６２】
また、本実施形態の複合機３０は、複数の機能の１つとしてステータス監視機能を備えている。ステータス監視機能には、消耗品の残量を監視して残量が一定レベル以下になった場合に警告処理を行う機能が含まれる。そして、遠隔利用アプリ２７は、複合機３０においてステータスの異常が発生している場合であって、その異常の内容が消耗品の残量不足以外の異常である場合は、状態アイコン６０として、ステータス警告アイコン６０ａを表示させる。
【０１６３】
そのため、複合機３０において消耗品不足以外のステータスの異常が発生したことを、状態アイコン６０としてステータス警告アイコン６０ａが表示されることによって知ることができる。
【０１６４】
また、起動用のアイコン５０としての既定アイコン５０ａが押圧操作されるか、又は状態アイコン６０としてのステータス警告アイコン６０ａが指示操作若しくは押圧操作されると、異常詳細表示（Ｓ４６０）が行われる。そのため、ユーザは、複合機３０で異常が発生していること及びその具体的内容を、簡単な操作によって迅速に知ることもできる。
【０１６５】
さらに、異常詳細表示が行われた後、特定の処理要求操作（Ｓ４７０）を行うことで、現在発生しているステータスの異常に関連したＦＡＱサイトを表示部１５に表示させることができる。
【０１６６】
また、ステータス異常として、消耗品の残量不足が発生している場合は、遠隔利用アプリ２７は、状態アイコン６０として、消耗品警告アイコン６０ｄを表示させる。
そのため、複合機３０において消耗品の残量不足が発生していることを、起動用のアイコン５０が消耗品アイコン５０ｄに切り替わることによって知ることができると共に、状態アイコン６０として消耗品警告アイコン６０ｄが表示されることによって消耗品の残量が不足していることを知ることができる。
【０１６７】
また、起動用のアイコン５０としての消耗品アイコン５０ｄが押圧操作されるか、又は状態アイコン６０としての消耗品警告アイコン６０ｄが指示操作若しくは押圧操作されると、消耗品残量表示（Ｓ４９０）が行われる。そのため、ユーザは、具体的にどの消耗品が残量不足となっているかを、簡単な操作によって迅速に知ることもできる。
【０１６８】
さらに、消耗品残量表示が行われた後、特定の処理要求操作（Ｓ５００）を行うことで、残量が一定レベル以下になっている消耗品をオンライン購入することが可能な消耗品購入サイトを表示部１５に表示させることができる。
【０１６９】
（６）特許請求の範囲との対応関係
ここで、本実施形態の文言と特許請求の範囲の文言との対応関係について説明する。携帯端末１０は情報処理装置の一例に相当し、複合機３０は画像処理装置の一例に相当し、遠隔利用アプリ２７は機能実行プログラムの一例に相当する。携帯端末１０のＣＰＵ１１は制御部の一例に相当する。携帯端末１０の第２無線通信部２２は通信部の一例に相当する。指示体による指示操作は第１の操作の一例に相当し、指示体による押圧操作は第２の操作の一例に相当する。複合機３０が有する機能のうち、ファクシミリ機能はファクシミリ受信機能の一例に相当し、スキャン機能は画像読取機能の一例に相当し、ファームウェア管理機能はファーム更新機能の一例に相当し、ステータス監視機能は異常検出機能の一例に相当する。図６（Ｂ）〜図６（Ｅ）に示すファクスアイコン５０ｂ、スキャンアイコン５０ｃ、消耗品アイコン５０ｄ、及びファームアイコン５０ｅはいずれも機能アイコンの一例に相当する。図６（Ａ）のステータス警告アイコン６０ａ及び図６（Ｄ）の消耗品警告アイコン６０ｄは異常通知画像の一例に相当する。図６（Ｂ）のファクス件数アイコン６０ｂは受信件数画像の一例に相当する。図６（Ｃ）のスキャン件数アイコン６０ｃは読取件数画像の一例に相当する。図６（Ｅ）のファームウェア警告アイコン６０ｅは更新通知画像の一例に相当する。
【０１７０】
図７のＳ１３０の処理は特定状態取得処理の一例に相当する。図７のＳ１５０、Ｓ１６０、Ｓ１９０、Ｓ２００、Ｓ２１０、Ｓ２２０、Ｓ２４０、Ｓ２５０、Ｓ２７０、Ｓ２８０、Ｓ３１０の処理は、アイコン変更処理の一例に相当する。図８のＳ４３０、Ｓ４６０、Ｓ４９０、Ｓ５２０、及びＳ５６０の各処理はいずれも特定表示処理の一例に相当し、これら各処理で表示される各画像はいずれも特定状態画像の一例に相当する。図８のＳ４５０、Ｓ４８０、Ｓ５１０、Ｓ５３０、及びＳ５７０の各処理はいずれも状態対応処理の一例に相当する。また、ＯＳ２６が待機画面に起動用のアイコン５０を表示させる処理は既定表示処理の一例に相当する。
【０１７１】
［他の実施形態］
以上、本発明を実施するための形態について説明したが、本発明は上述の実施形態に限定されることなく、種々変形して実施することができる。
【０１７２】
（１）上記実施形態では、消耗品の残量不足以外のステータス異常が生じた場合は、起動用のアイコン５０として既定アイコン５０ａを表示させる構成であったが、この場合も、起動用のアイコン５０として、既定アイコン５０ａとは異なるアイコンを表示させるようにしてもよい。
【０１７３】
つまり、複合機３０において特定状態が生じた場合に、起動用のアイコン５０を既定アイコン５０ａのままとするかそれとも特定状態に対応したアイコンに切り替えるかについては適宜決めてもよい。
【０１７４】
（２）起動用のアイコン５０、及び状態アイコン６０として、図６に示した各アイコンはあくまでも一例であり、他の画像のアイコンであってもよい。また、起動用のアイコン５０に対する状態アイコン６０の相対的な大きさや表示位置などについても、適宜決めてもよい。
【０１７５】
（３）上記実施形態では、異なる複数の機能それぞれにおいて特定状態が同時に発生している場合は、優先順位の最も高い１つの機能を対象として、起動用のアイコン５０の切り替えや状態アイコン６０の表示が行われる構成であった。そして、優先順位として、ファームウェア管理機能、ステータス監視機能、ファクシミリ機能、スキャン機能、の順を例示したが、この優先順位はあくまでも一例である。どの機能を最優先にするかについては適宜決めてもよい。
【０１７６】
また、優先順位を設定しないようにしてもよい。具体的に、複数の機能において特定状態が同時に発生した場合、例えば、状態アイコン６０についてはその複数の機能それぞれに対応した異なる状態アイコン６０を同時に表示させるようにしてもよい。そして、複数の状態アイコン６０のいずれかが指示操作又は押圧操作された場合、その操作された状態アイコン６０に対応した機能について、特定表示処理を行うようにしてもよい。
【０１７７】
（４）また、上記実施形態では、特定状態として、ステータスの異常が発生していること、ファームウェアをアップデート可能であること、ファクス件数が１件以上計数されていること、及びスキャン件数が１件以上計数されていること、を示したが、これらはあくまでも一例である。
【０１７８】
（５）また、上記実施形態では、情報処理装置の一例として携帯端末１０を示したが、本発明は携帯端末１０以外の他の情報処理装置に対しても適用可能である。また、画像処理装置についても、上記実施形態の複合機３０はあくまでも一例であり、複合機３０以外の他の画像処理装置に対しても本発明を適用可能である。
【０１７９】
（６）タッチパネル１４ａからの検出信号に基づく指示操作及び押圧操作の位置検出の実行主体は、ＯＳ２６に限定されない。例えば、遠隔利用アプリ２７が、タッチパネル１４ａからの検出信号に基づいて指示体の操作位置を検出する構成であってもよい。表示部１５への各種画像の表示についても、ＯＳ２６を介して表示させる構成に限定されるものではなく、遠隔利用アプリ２７自らがＯＳ２６を介さずに各種画像を表示部１５に表示させる構成であってもよい。
【０１８０】
（７）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【０１８１】
（１１）また、上述した携帯端末１０の他、当該携帯端末１０を構成要素とするシステム、当該携帯端末１０としてコンピュータを機能させるためのプログラム、このプログラムを記憶した媒体、当該携帯端末１０で用いられている遠隔利用方法など、種々の形態で本発明を実現することもできる。
【符号の説明】
【０１８２】
１０…携帯端末、１１，３１…ＣＰＵ、１２，３２…記憶部、１３…メモリカードＩ／Ｆ、１４，３４…入力部、１４ａ…タッチパネル、１５，３５…表示部、２１…第１無線通信部、２２…第２無線通信部、２７…遠隔利用アプリ、３０…複合機、３６…スキャナ部、３７…印刷部、３８…通信Ｉ／Ｆ、４１…無線通信部、４６…ファームウェア、４７…装置状態情報テーブル、５０…起動用のアイコン、５０ａ…既定アイコン、５０ｂ…ファクスアイコン、５０ｃ…スキャンアイコン、５０ｄ…消耗品アイコン、５０ｅ…ファームアイコン、６０…状態アイコン、６０ａ…ステータス警告アイコン、６０ｂ…ファクス件数アイコン、６０ｃ…スキャン件数アイコン、６０ｄ…消耗品警告アイコン、６０ｅ…ファームウェア警告アイコン、７０…プレビュー画像、１１０…インターネット、１２０…移動通信網、１５１…ルータ、１６０…サーバ、１６１…ファームバージョンテーブル。
【図１】
0006798148.tif 000002
【図２】
0006798148.tif 000003
【図３】
0006798148.tif 000004
【図４】
0006798148.tif 000005
【図５】
0006798148.tif 000006
【図６】
0006798148.tif 000007
【図７】
0006798148.tif 000008
【図８】
0006798148.tif 000009
【図９】
0006798148.tif 000010